【手続補正書】
【提出日】平成16年3月5日(2004.3.5)
【手続補正１】
【補正対象書類名】明細書
【補正対象項目名】特許請求の範囲
【補正方法】変更
【補正の内容】
【特許請求の範囲】
【請求項１】
式
【化１】
2004501168.tif 000001
の１−アルケン−３−オール類のエステル類
及び式
【化２】
2004501168.tif 000002
の１−アルキン−３−オール類のエステル類
〔式中Ｒは水素又は１〜４個の炭素原子のアルキル基であり、Ｒ1及びＲ2はそれぞれ独立に１〜約１２個の炭素原子を含有する飽和又は不飽和脂肪族炭化水素基を表しており、そしてＲ3は水素又はＣＨ3である〕からなる群から選択される少なくとも１種の阻害化合物の阻害有効量を三次元環境空間の大気中に分配することからなる土地又は基礎表面を有している三次元環境空間内の標的を嗅覚により感知することによる蚊の標的感知能力を阻害する方法。
【請求項２】
阻害有効量の範囲が環境空間の土地又は基礎表面積の平方フィートに基づいて約０．０００００５グラム／時／平方フィート（0.000054g/時/m2）〜約０．００４グラム／時／平方フィート（0.043g/時/m2）である請求項１に記載の方法。
【請求項３】
阻害有効量の範囲が環境空間の土地又は基礎面積の平方フィートに基づいて約０．０００１５グラム／時／平方フィート（0.0016g/時/m2）〜約０．０００２グラム／時／平方フィート（0.0022g/時/m2）である請求項１に記載の方法。
【請求項４】
Ｒ3がＣＨ3である請求項１に記載の方法。
【請求項５】
該少なくとも１種の阻害化合物がネロリドール、３−メチル−１−オクテン−３−オール、リナロール及びデヒドロリナロールの、蟻酸エステル及び酢酸エステルからなる群から選択される請求項１に記載の方法。
【請求項６】
該少なくとも１種の阻害化合物が酢酸リナリル及び蟻酸リナリル及び酢酸１−オクテン−３−イルからなる群から選択されるリナリルエステルからなる請求項１に記載の方法。
【請求項７】
該少なくとも１種の阻害化合物が酢酸リナリルからなる請求項１に記載の方法。
【請求項８】
該少なくとも１種の阻害化合物の分配が、該少なくとも１種の阻害化合物を含有しているビヒクル（賦形剤）を含んでいる処方剤から該少なくとも１種の阻害化合物を気化、蒸発、微粒化（アトマイゼーション）及びイオン分散から選択される方法によって分配することからなる請求項１に記載の方法。
【請求項９】
該分配が、ビヒクル（賦形剤）が多孔質媒体である処方剤から該少なくとも１種の阻害化合物をファン駆動で蒸発させることからなる請求項８に記載の方法。
【請求項１０】
該分配が、ビヒクル（賦形剤）がワックス状の溶液である処方剤から該少なくとも１種の阻害化合物をファン駆動で蒸発させることからなる請求項８に記載の方法。
【請求項１１】
リナリルエステルを含有している多孔質媒体の処方剤からのリナリルエステルのファン駆動による蒸発によってリナリルエステルが分配される請求項６に記載の方法。
【請求項１２】
リナリルエステルを含有しているワックス状の溶液の処方剤からのリナリルエステルのファン駆動による蒸発によってリナリルエステルが分配される請求項６に記載の方法。
【請求項１３】
ビヒクル及びリナリルエステルの処方剤からのリナリルエステルの微粒化（アトマイゼーション）によってリナリルエステルが分配される請求項６に記載の方法。
【請求項１４】
ビヒクル及びリナリルエステルの処方剤からのリナリルエステルのイオン分散によってリナリルエステルが分散される請求項６に記載の方法。
【請求項１５】
ビヒクルと、酢酸リナリル以外の式
【化３】
2004501168.tif 000003
１−アルケン−３−オール類のエステル類及び式
【化４】
2004501168.tif 000004
の１−アルキン−３−オール類のエステル類〔式中Ｒは水素又は１〜４個の炭素原子のアルキル基、Ｒ1及びＲ2はそれぞれ独立に１〜約１２個の炭素原子を含有している飽和又は不飽和脂肪族炭化水素基であり、そしてＲ3は水素又はＣＨ3である〕からなる群から選択される少なくとも１種の阻害化合物とのベース処方剤中に該少なくとも１種の阻害化合物を含むを組成物であって、
該少なくとも１種の阻害化合物は、該少なくとも１種の阻害化合物の処方剤から蒸発、気化、微粒化（アトマイゼーション）又はイオン分散の少なくとも１によって、三次元環境空間の大気中に該少なくとも１種の阻害化合物の阻害有効量を提供するのに十分な分配がなされることが出来る、土地又は基礎表面積を有している三次元環境空間内の標的を嗅覚的に感知することによる蚊の標的感知能力を阻害する為の組成物。
【請求項１６】
該組成物が、三次元環境空間の土地又は基礎表面積の平方フィートあたり約０．０００００５グラム／時／平方フィート（0.000054g/時/m2）〜約０．００４グラム／時／平方フィート（0.043g/時/m2）の範囲の少なくとも１種の阻害化合物の阻害有効量を提供するのに十分である請求項１５に記載の組成物。
【請求項１７】
該組成物が、三次元環境空間の土地又は基礎表面積の平方フィートあたり約０．０００１５グラム／時／平方フィート（0.0016g/時/m2）〜約０．０００２グラム／時／平方フィート（0.0022g/時/m2）の範囲の少なくとも１種の阻害化合物の阻害有効量を提供するのに十分である請求項１５に記載の組成物。
【請求項１８】
該少なくとも１種の阻害化合物が、ネロリドール、３−メチル−１−オクテン−３−オール、リナロール及びデヒドロリナロールの、エステル類からなる群から選択される請求項１５に記載の組成物。
【請求項１９】
該少なくとも１種の阻害化合物が蟻酸リナリル及び酢酸１−オクテン−３−イルからなる群から選択されるリナリルエステルからなる請求項１５に記載の組成物。
【請求項２０】
該組成物が該少なくとも１種の阻害化合物の気化、蒸発、微粒化（アトマイゼーション）及びイオン分散から選択される方法によって該少なくとも１種の阻害化合物を分配可能である請求項１５に記載の組成物。
【請求項２１】
該組成物が該少なくとも１種の阻害化合物のファン駆動による蒸発によって分配可能であり、そしてビヒクル（賦形剤）が多孔質の媒体である請求項１５に記載の組成物。
【請求項２２】
該組成物が該少なくとも１種の阻害化合物のファン駆動による蒸発によって分配可能であり、ビヒクル（賦形剤）がワックス状の溶液である請求項１５に記載の組成物。
【請求項２３】
リナリルエステルがリナリルエステルのファン駆動による蒸発によって分配可能であり、そしてビヒクルがリナリルエステルを含有している多孔質媒体である請求項１９に記載の組成物。
【請求項２４】
リナリルエステルがリナリルエステルのファン駆動による蒸発によって分配可能であり、そしてビヒクルがリナリルエステルを含有している
ワックス状の溶液である請求項１９に記載の組成物。
【請求項２５】
リナリルエステルがリナリルエステルの微粒化（アトマイゼーション）によって分配可能である請求項１９に記載の組成物。
【請求項２６】
リナリルエステルがリナリルエステルのイオン分散によって分配可能である請求項１９に記載の組成物。
【手続補正２】
【補正対象書類名】明細書
【補正対象項目名】０００５
【補正方法】変更
【補正の内容】
【０００５】
本発明に従うと、式
【化５】
2004501168.tif 000005
の１−アルケン−３−オール類の低級アルキルエステル類及び  式：
【化６】
2004501168.tif 000006
の１−アルキン−３−オール類の低級アルキルエステル類
〔式中Ｒは水素又は１〜４個の炭素原子のアルキル基であり、Ｒ1及びＲ2はそれぞれ独立に１〜約１２個の炭素原子を含有している飽和又は不飽和脂肪族炭化水素基であり、そしてＲ3は水素又はＣＨ3、好ましくはＣＨ3である〕からなる群から選択される少なくとも１種の阻害化合物の阻害有効量を空間上の領域に分配（施用又は小出し）することにより蚊の標的の位置を知る能力が阻害される。好ましくはＲはＨ又はＣＨ3であり、Ｒ1及びＲ2はＣ6Ｈ11であり、Ｒ3はＣＨ3であり、即ちリナロールの蟻酸エステル類及び酢酸エステル類である。